(57)【要約】【課題】  一度に、複数の箸を最小限の大きさにして持参しやすく、しかも箸収納ケース全体も手軽に使用できる携帯用箸を提供する。【解決手段】  上半部箸の任意の面に取り付け具甲を設け、下半部箸の任意の面に上半部箸の取り付け具と異なる取り付け具乙を設ける又、箸置き部及び角部を複数付した仕切り具を設け、本体容器の内面任意の箇所に、複数の折れ部を付して、任意の形状とした上半部箸収納部を設け、本体容器からよりなる対称とした表板同士が取り付け、取り外しが可能とする任意の箇所に、本体カバー止め具甲、及び本体カバー止め具乙を設け、側板の任意の箇所に、仕切り具をスライド可能とする溝を設け仕切具の角部から挿入して合体させ、複数の下半部箸を収納可能とし、複数の上半部箸は、上半部箸収納部に収納し、箸を分割して携帯用とした携帯用箸である。【選択図】図８
2009028475.tif 000002
【特許請求の範囲】
【請求項１】
上半部箸の任意の面に取り付け具甲を設け、下半部箸の任意の面に上半部箸の取り付け具と異なる取り付け具乙を設ける又、箸置き部及び角部を複数付した仕切り具を設け、本体容器の内面任意の箇所に、複数の折れ部を付して、任意の形状とした上半部箸収納部を設け、本体容器からよりなる対称とした表板同士が取り付け、取り外しが可能とする任意の箇所に、本体カバー止め具甲、及び本体カバー止め具乙を設け、側板の任意の箇所に、仕切り具をスライド可能とする溝を設け仕切具の角部から挿入して合体させ、複数の下半部箸を収納可能とし、複数の上半部箸は、上半部箸収納部に収納し、箸を分割して携帯用とした携帯用箸。
【発明の詳細な説明】
【技術の分野】
【０００１】本発明は、短絡した箸を複数持参できる、携帯用とした箸に関するものである。
【背景技術】
【０００２】従来、箸を携帯する時は、箸入れケース等に入れて持参する方法があった。
【発明が解決しょうとするする課題】
【０００３】そのために、次のような問題点があった。
（イ）箸は、そのままの形態でその殆どが１ケースに１膳程度入れて持参している。
（ロ）箸やケースは長さがあるため携帯しにくい。
（ハ）一度使用してしまうと必ず洗浄しないと再び使用しにくい。
本発明はこれらの問題点を解決するためになされたものである。
【課題を解決するための手段】
【０００４】上半部箸の任意の面に取り付け具甲を設け、下半部箸の任意の面に上半部箸の取り付け具と異なる取り付け具乙を設ける又、箸置き部及び角部を複数付した仕切り具を設け、本体容器の内面任意の箇所に、複数の折れ部を付して、任意の形状とした上半部箸収納部を設け、本体容器からよりなる対称とした表板同士が取り付け、取り外しが可能とする任意の箇所に、本体カバー止め具甲、及び本体カバー止め具乙を設け、側板の任意の箇所に、仕切り具をスライド可能とする溝を設け仕切具の角部から挿入して合体させ、複数の下半部箸を収納可能とし、複数の上半部箸は、上半部箸収納部に収納し、箸を分割して携帯用とした携帯用箸である。
【発明の効果】
【０００５】将来、森林伐採につながり環境破壊となり、外食時等には箸の有料化又は、持参する事となった場合において複数の箸が必要となる。
この場合、携帯しやすいように、全体の大きさや奥行き等を最小限として持参できる又、使用済みの箸はその場で必ず洗浄する必要もなく、次に箸を使用する時は未使用の箸を複数使用できる。
又、箸の洗浄時には、混雑も考えられるので本発明は、その煩わしさがないので洗浄時は使用済みの箸をまとめて、任意の場所で洗浄する事が可能である。
【発明を実施するための最良の形態】
【０００６】以下、本発明の実施の形態について説明する。
（イ）通常の箸の約２分の１の長さを有する棒軸状の上半部箸（１）の下端面に雌螺子状の取り付け具甲（２）を設ける。
（ロ）通常の箸の約２分の１の長さを有する棒軸状の下半部箸（４）の上端面に雄螺子状からなる取り付け具乙（４）を設ける。
（ハ）取り付け具甲（２）と取り付け具乙（４）を螺子止めして上半部箸（１）と下半部箸（４）を合体し、一本の箸（Ａ）を形成する。
（ニ）仕切り具（５）の複数の角部（６）を設け、その上部平坦部に凹部からなる箸置き部（７）を設ける。
（ホ）本体容器（１５）は、方形状の底板（１６）の両側に折れ部（９）を介して側板（１７）及び前方に前板（１０）と後方に後板（１１）を設け、後板（１１）は折れ部（９）を介して底板（１６）に対面するように表板（１２）を設けてなる。
（ヘ）本体容器（１５）の前板（１０）と後板（１１）の内側に上半部箸（１）を挟持する上半部箸収納部（８）を設ける。
（ト）表板（１２）の先端部の箇所にカバー同士が取り付け、取り外しが可能とする異なる本体カバー止め具甲（１３）及び本体カバー止め具乙（１４）を設ける。
（チ）本体容器（１５）の、側板（１７）内面下方に、仕切り具（５）に付してある角部（６）を挿入してスライドが可能とする位置に、溝（１８）を設ける。
本発明は以上の構成よりなっている。
本発明を使用するときは、上記の携帯用箸の本体カバー止め具甲（１３）を取り外して上半部箸収納部（８）から上半部箸（１）と下半部箸（４）を取り出して、取り付け具甲（２）及び、取り付け具乙（３）を螺子止めして合体させ、箸Ａを形状させて使用する。
使用後は、本体容器（１５）の側板（１７）内側下方の溝（１８）に、仕切り具（５）を付してある角部（６）を差し込んであるため使用済みの下半部箸（４）と上半部箸（１）と切り離し後、仕切り具（５）をスライドさせ使用済みの下半部箸（４）と、未使用の下半部箸（４）を区別できる。
上半部箸（１）と下半部箸（４）を切り離した上半部箸（１）は、上半部箸収納部（８）へ収納する、下半部箸（４）は本体容器（１５）の低板（１６）箇所へ収納後、表板（１２）に付してある本体カバー止め具甲（１３）と本体カバー止め具乙（１４）を作用させて止める。
仕切り具（５）に付してある箸置き部（７）の他の実施例として。
仕切り具（５）に付してある箸置き部（７）を本体容器（１５）に取り付けた状態で箸置きとして使用可能であるが、仕切り具（５）をスライドさせて本体容器（１５）から抜き取り単独で箸置きとして使用も可能である。
【図面の簡単な説明】
【０００７】
【図１】本発明の上半部箸の斜視図
【図２】本発明の下半部箸の斜視図
【図３】上半部箸と下半部箸を合体した状態の斜視図
【図４】本発明の仕切り具に、箸置き部を付した状態の斜視図
【図５】本発明の要部の使用状態を示す斜視図
【図６】本発明の要部の使用状態を示す斜視図
【図７】本発明の容器の斜視図
【図８】本発明の使用状態を示す斜視図
【図９】本発明の外観斜視図
【図１０】本発明の他の実施例を示す正面図
【符号の説明】
【０００８】１  上半部箸
２  取り付け具甲
３  取り付け具乙
４  下半部箸
５  仕切り具
６  角部
７  箸置き部
８  上半部箸収納部
９  折れ部
１０  前板
１１  後板
１２  表板
１３  本体カバー止め具甲
１４  本体カバー止め具乙
１５  本体容器
１６  底板
１７  側板
１８  溝
Ａ  箸
【図１】
2009028475.tif 000003
【図２】
2009028475.tif 000004
【図３】
2009028475.tif 000005
【図４】
2009028475.tif 000006
【図５】
2009028475.tif 000007
【図６】
2009028475.tif 000008
【図７】
2009028475.tif 000009
【図８】
2009028475.tif 000010
【図９】
2009028475.tif 000011
【図１０】
2009028475.tif 000012